(57)【要約】    【課題】  簡単かつ安価に製造でき，しかも違和感や苦痛を与えることなく、外反母趾や内反小趾を確実に矯正できるようにした矯正靴下を提供する。    【解決手段】  爪先部分(20)の足幅方向両側には第１趾を入れる第１趾袋部(21)と第５趾を入れる第５趾袋部(23)を形成し、第１趾袋部と第５趾袋部の間には第２、第３及び第４趾を一緒に入れる幅広趾袋部(22)を形成する。第１趾袋部と幅広趾袋部との間及び幅広趾袋部と第５趾袋部との間にはパッド袋部(24,25)を形成し、両パッド袋部は第１趾袋部と幅広趾袋部及び幅広趾袋部と第５趾袋部に縫合し、両パッド袋部の一方又は両方には弾性パッドを挿入して外反母趾及び／又は内反小趾を矯正する。【選択図】  図１
2010063874.tif 000002
【特許請求の範囲】
【請求項１】
編み糸又は編み糸と弾性糸とによって編成してなる靴下において、
爪先部分の足幅方向両側には第１趾を入れる第１趾袋部(21)と第５趾を入れる第５趾袋部(23)が形成され、上記第１趾袋部(21)と少なくとも第２趾を入れる趾袋部(22,22A,26)との間には第１のパッド袋部(24,24')が設けられて第１趾袋部(21)及び少なくとも第２趾を入れる趾袋部(22,22A,26) のいずれか一方又は両方に縫合されている一方、
上記第５趾袋部(23)と少なくとも第４趾を入れる趾袋部(22,22C,27) との間には第２のパッド袋部(25,25')が設けられて第５趾袋部(23)及び少なくとも第４趾を入れる趾袋部(22,22C,27) のいずれか一方又は両方に縫合されており、上記第１、第２のパッド袋部(24,24',25,25')の一方又は両方には弾性パッド(30)が挿入されることによって外反母趾及び／又は内反小趾を矯正し得るようになっていることを特徴とする矯正靴下。
【請求項２】
編み糸又は編み糸と弾性糸とによって編成してなる靴下において、
爪先部分には第１趾を入れる第１趾袋部(21)と少なくとも第２趾を入れる趾袋部(22,22A,26) が形成され、上記第１趾袋部(21)と少なくとも第２趾を入れる趾袋部(22,22A,26) との間には第１のパッド袋部(24,24')が設けられて第１趾袋部(21)及び少なくとも第２趾を入れる趾袋部(22,22A,26) のいずれか一方又は両方に縫合され、上記第１のパッド袋部(24,24')には弾性パッド(30)が挿入されることによって外反母趾を矯正し得るようになっていることを特徴とする矯正靴下。
【請求項３】
編み糸又は編み糸と弾性糸とによって編成してなる靴下において、
爪先部分には第５趾を入れる第５趾袋部(23)と少なくとも第４趾を入れる趾袋部(22,22C,27) が形成され、上記第５趾袋部(23)と少なくとも第４趾を入れる趾袋部(22,22C,27) との間には第２のパッド袋部(25,25')が設けられて第５趾袋部(23)及び少なくとも第４趾を入れる趾袋部(22,22C,27) のいずれか一方又は両方に縫合され、上記第２のパッド袋部(25,25')には弾性パッド(30)が挿入されることによって内反小趾を矯正し得るようになっていることを特徴とする矯正靴下。
【請求項４】
上記爪先部分の第１趾袋部(21)と第５趾袋部(23)との間には第２、第３及び第４趾を一緒に入れる幅広趾袋部(22)が形成されている請求項１ないし３のいずれかに記載の矯正靴下。
【請求項５】
上記爪先部分の第１趾袋部(21)と第５趾袋部(23)との間には第２、第３及び第４趾の各々を入れる第２趾袋部(22A)、第３趾袋部(22B)及び第4 趾袋部(22C)が形成されている請求項１ないし３のいずれかに記載の矯正靴下。
【請求項６】
上記第１及び／又は第２のパッド袋部(24,25)は上記爪先部分に趾袋部(21,22,22A,22B22C,23)とともに編成され、弾性パッド(30)が挿入されている請求項１ないし３のいずれかに記載の矯正靴下。
【請求項７】
上記第１及び／又は第２のパッド袋部(24',25')は上記爪先部分とは別体に編成され、弾性パッド(30)が挿入され、第１趾袋部(21)と少なくとも第２趾を入れる趾袋部(22,22A,26)との間及び／又は第５趾袋部(23)と少なくとも第４趾を入れる趾袋部(22,22C,27)との間に差し込まれて両側の趾袋部(21,22,22A,26,23,22,22C,27) のいずれか一方又は両方に縫合されている請求項１ないし３のいずれかに記載の矯正靴下。
【請求項８】
上記爪先部分(20)に連続して靴下本体(10)が編成され、該靴下本体(10)の土踏まず部分(16)には他の部位に比して締付け力の大きい締付け部分が形成されている請求項１ないし６のいずれかに記載の矯正靴下。
【請求項９】
上記爪先部分(20)には足の土踏まず部分の手前までの長さを有するサポート部分(40)が連続して編成されている請求項１ないし６のいずれかに記載の矯正靴下。
【請求項１０】
靴下の第１趾袋部(21)と少なくとも第２趾を入れる趾袋部(22,22A,26) との間又は第５趾袋部(23)と少なくとも第４趾を入れる趾袋部(22,22C,27) との間に差込み可能な大きさに編成されたパッド袋部(24',25')と、該パッド袋部(24',25')内に挿入された弾性パッド(30)とからなり、
上記第１趾袋部(21)と少なくとも第２趾を入れる趾袋部(22,22A,26)との間に差し込まれて第１趾袋部(21)及び少なくとも第２趾を入れる趾袋部(22,22A,26) のいずれか一方又は両方に縫合され、及び／又は上記第５趾袋部(23)と少なくとも第４趾を入れる趾袋部(22,22C,27) との間に差し込まれて第５趾袋部(23)及び少なくとも第４趾を入れる趾袋部(22,22C,27) のいずれか一方又は両方に縫合されることにより、外反母趾及び／又は内反小趾を矯正し得るようになっていることを特徴とする靴下用矯正パッド。
【発明の詳細な説明】
【技術分野】
【０００１】
この発明は矯正靴下に関し、特に外反母趾や内反小趾を矯正できるようにした靴下に関する。
【背景技術】
【０００２】
最近、外反母趾や内反小趾などの足のトラブルがますます増加する傾向にある。外反母趾とは足の母趾のつけ根の関節が外側（小趾側）に変形したもので、内反小趾は反対に小趾のつけ根の関節が内側（母趾側）に変形したものである。
【０００３】
上述の足のトラブルは先の細い靴やハイヒールが原因とされてきたが、足を構成する骨と骨をつなぐ足の筋力が退化することが原因になっていることが明らかになった。
【０００４】
そこで，第１趾袋部と第５趾袋部の間には第２、第３及び第４趾を入れる幅広趾袋部を形成するとともに、中足関節部及び第５中足骨基底部を押圧する締付け部を設けて第１趾及び第５趾を外側に開かせることにより、外反母趾や内反小趾を矯正するようにした矯正靴下が提案されている（特許文献１、特許文献２）。
【０００５】
また、内側靴下には第１趾と他の趾を入れる２つの袋を形成し、第１趾と第２趾との間にパッドを入れ、テープによって固定し、内側靴下の上に外側靴下を二重に重ね、外反母趾を矯正するようにした矯正靴下が提案されている（特許文献３）。
【先行技術文献】
【特許文献】
【０００６】
【特許文献１】特開２００３−２９９６８５号公報
【特許文献２】特開２００１−２６２４０５号公報
【特許文献３】特開２００３−５７２２８号公報
【発明の開示】
【発明が解決しようとする課題】
【０００７】
しかし、特許文献１、２記載の矯正靴下では中足関節部及び第５中足骨基底部を押圧して第１趾及び第５趾を外側に開かせるようにしているので、押圧力が強くないと第１趾及び第５趾を外側に開かせることができず、押圧力が強すぎると窮屈になって靴下を履いた人に違和感や苦痛を与える。
【０００８】
他方、特許文献３記載の矯正靴下では靴下を二重構造にする必要があるばかりでなく、固定テープを必要とするなど製造が複雑になり、コスト高を招来する。
【０００９】
本発明はかかる問題点に鑑み、簡単かつ安価に製造でき，しかも違和感や苦痛を与えることなく、外反母趾や内反小趾を確実に矯正できるようにした矯正靴下を提供することを課題とする。
【課題を解決するための手段】
【００１０】
そこで、本発明に係る矯正靴下は、編み糸又は編み糸と弾性糸とによって編成してなる靴下において、爪先部分の足幅方向両側には第１趾を入れる第１趾袋部と第５趾を入れる第５趾袋部が形成され、上記第１趾袋部と少なくとも第２趾を入れる趾袋部との間には第１のパッド袋部が設けられて第１趾袋部及び少なくとも第２趾を入れる趾袋部のいずれか一方又は両方に縫合されている一方、上記第５趾袋部と少なくとも第４趾を入れる趾袋部との間には第２のパッド袋部が設けられて第５趾袋部及び少なくとも第４趾を入れる趾袋部のいずれか一方又は両方に縫合されており、上記第１、第２のパッド袋部の一方又は両方には弾性パッドが挿入されることによって外反母趾及び／又は内反小趾を矯正し得るようになっていることを特徴とする。
【００１１】
本発明の特徴の１つは第１趾を入れる第１趾袋部の第２趾側及び第５趾を入れる第５趾袋部の第４趾側に、第１、第２のパッド袋部を設けて両パッド袋部の両方又は一方に弾性パッドを挿入するようにした点にある。
【００１２】
これにより、第２趾に対して第１趾を、第４趾に対して第５趾を各々外側に開かせることができ、外反母趾や内反小趾を矯正することができ、又弾性パッドによって第１趾及び第５趾を外側に開かせるようにしているので、靴下を履いた人に違和感や苦痛を与えることが少ない。
【００１３】
ここで、弾性パッドは靴下を履いた人に違和感を与えないような適度な弾性を有するものがよく、例えば天然又は合成ゴム、シリコン材料、ウレタン材料などを採用することができる。
【００１４】
また、弾性パッドは概ね次の寸法の平板状を採用することができる。第１・第２趾間の弾性パッドで大きいサイズは、縦１７ｍｍ×横２７ｍｍ×（幅上１２ｍｍ、幅下７ｍｍ）、小さいサイズは縦１７ｍｍ×横２７ｍｍ×（幅上９ｍｍ、幅下４ｍｍ）である。また、第４・第５趾間の弾性パッドで大きいサイズは、縦１１ｍｍ×横２２ｍｍ×（幅上３ｍｍ、幅下２ｍｍ）、小さいサイズは縦１１ｍｍ×横２２ｍｍ×（幅上２ｍｍ、幅下１ｍｍ）である。
【００１５】
第１、第２のパッド袋部の一側方又は両側方を趾袋部に縫合したのは、靴下を履いた時に弾性パッドが趾の間から抜け出るのを防ぐためである。
【００１６】
また、第２趾、第３趾及び第４趾については、爪先部分の第１趾袋部と第５趾袋部との間に第２、第３及び第４趾を一緒に入れる幅広趾袋部を形成してもよく、又第２、第３及び第４趾の各々を入れる第２趾袋部、第３趾袋部及び第4 趾袋部を別々に形成するようにしてもよい。
【００１７】
爪先部分にパッド袋部を一緒に編成する場合、第１趾袋部、第１のパッド袋部、第２ないし第４趾の趾袋部、第２のパッド袋部及び第５趾袋部を編成すればよいので、例えば５本指の靴下を編成する設備（靴下横編み機や丸編み機）及び技術を用いて第１趾袋部、第１のパッド袋部、趾袋部、第２のパッド袋部及び第５趾袋部を編成することができ、簡単に製造でき、コスト高を招来することもない。
【００１８】
弾性パッドは第１、第２のパッド袋部の両方に入れてもよく、いずれか一方に入れるようにしてもよい。即ち、第１のパッド袋部に弾性パッドを挿入して外反母趾を矯正するようにしてもよく、第２のパッド袋部に弾性パッドを挿入して内反小趾を矯正するようにしてもよい。
【００１９】
上記では第１、第２のパッド袋部を設けたが、いずれか一方のパッド袋部を形成し、外反母趾矯正靴下、あるいは内反小趾矯正靴下を製作することもできる。
【００２０】
すなわち、本発明に係る矯正靴下は、編み糸又は編み糸と弾性糸とによって編成してなる靴下において、爪先部分には第１趾を入れる第１趾袋部と少なくとも第２趾を入れる趾袋部が形成され、上記第１趾袋部と少なくとも第２趾を入れる趾袋部との間には第１のパッド袋部が設けられて第１趾袋部及び少なくとも第２趾を入れる趾袋部のいずれか一方又は両方に縫合され、上記第１のパッド袋部には弾性パッドが挿入されることによって外反母趾を矯正し得るようになっていることを特徴とする。
【００２１】
また、本発明に係る矯正靴下は、編み糸又は編み糸と弾性糸とによって編成してなる靴下において、爪先部分には第５趾を入れる第５趾袋部と少なくとも第４趾を入れる趾袋部が形成され、上記第５趾袋部と少なくとも第４趾を入れる趾袋部との間には第２のパッド袋部が設けられて第５趾袋部及び少なくとも第４趾を入れる趾袋部のいずれか一方又は両方に縫合され、上記第２のパッド袋部には弾性パッドが挿入されることによって内反小趾を矯正し得るようになっていることを特徴とする。
【００２２】
本発明の特徴は爪先部分に第１及び／又は第２のパッド袋部を形成して弾性パッドを挿入し、外反母趾や内反小趾を矯正するようにした点にあり、靴下はショート丈、ハーフ丈、クルー丈、爪先靴下など、どのような形態であってもよい。
【００２３】
例えば、爪先部分に連続して編成される靴下本体には、長尺又は短尺のレッグ部分を設けるようにしたタイプの靴下であってもよい。この場合、靴下本体の土踏まず部分（中足部）には他の部位に比して締付け力の大きい締付け部分を形成すると、土踏まずのアーチの再生を補助することができる。
【００２４】
また、本発明は爪先部分に足の土踏まず部分の手前までの長さを有するサポート部分を連続して編成した、いわゆる爪先靴下にも同様に適用できる。
【００２５】
さらに、矯正靴下の編み方は特に限定されず、平編み、メッシュ編み、パイル編みあるいはこれらを組合せた編み方などを採用することができる。
【００２６】
編み糸の材質については特に限定されず、綿糸、綿アクリル混紡糸、毛糸、毛アクリル混紡糸、絹糸、絹アクリル混紡糸、麻糸、麻アクリル混紡糸、ナイロン糸等、靴下に採用される編み糸を用いることができる。弾性糸にはゴム糸、ナイロン糸、ポリエステル糸、ポリウレタンカバードヤーン、コアヤーンを用いることができる。
【００２７】
また、第１、第２のパッド袋部は爪先部分に趾袋部と一緒に編成するようにしてもよいが、本発明を５本指靴下に適用する場合、５本の趾袋部の他にパッド袋部を一緒に編成することとなる。しかし、通常の靴下編み機では５本以上の袋部を編成するのは難しい。勿論、プログラムを修正して丸編み機で編成することも可能であるが、コスト高を招来し、非現実的である。そこで、パッド袋部を靴下とは別体に編成し、弾性パッドを挿入して趾袋部間に差込み両側の趾袋部の一方又は両方に縫合するようにすると、外反母趾及び／又は内反小趾を矯正靴下し得る矯正靴下を製造することができる。
【００２８】
さらに、靴下と別体に製造した上述の矯正パッドも斬新である。すなわち、本発明によれば、靴下の第１趾袋部と少なくとも第２趾を入れる趾袋部との間又は第５趾袋部と少なくとも第４趾を入れる趾袋部との間に差込み可能な大きさに編成されたパッド袋部と、該パッド袋部内に挿入された弾性パッドとからなり、上記第１趾袋部と少なくとも第２趾を入れる趾袋部との間に差し込まれて第１趾袋部及び少なくとも第２趾を入れる趾袋部のいずれか一方又は両方に縫合され、及び／又は上記第５趾袋部と少なくとも第４趾を入れる趾袋部との間に差し込まれて第５趾袋部及び少なくとも第４趾を入れる趾袋部のいずれか一方又は両方に縫合されることにより、外反母趾及び／又は内反小趾を矯正し得るようになっていることを特徴とする靴下用矯正パッドを提供することができる。
【図面の簡単な説明】
【００２９】
【図１】本発明に係る矯正靴下の好ましい実施形態を示す概略斜視図である。
【図２】上記実施形態を示す要部拡大平面図である。
【図３】上記実施形態における弾性パッドを示す図である。
【図４】第２の実施形態を示す概略斜視図である。
【図５】上記実施形態を示す要部拡大図である。
【図６】第３の実施形態を示す概略斜視図である。
【図７】上記実施形態を示す要部拡大図である。
【図８】第４の実施形態を示す概略斜視図である。
【図９】上記実施形態を示す要部拡大図である。
【図１０】第５の実施形態を示す概略斜視図である。
【図１１】上記実施形態を示す要部拡大図である。
【図１２】上記実施形態におけるパッド袋部と弾性パッドの形状を示す概略斜視図である。
【図１３】第６の実施形態を示す概略斜視図である。
【図１４】上記実施形態を示す要部拡大図である。
【図１５】第７の実施形態を示す概略斜視図である。
【図１６】上記実施形態を示す要部拡大図である。
【図１７】第８の実施形態を示す概略斜視図である。
【図１８】上記実施形態を示す要部拡大図である。
【図１９】第９の実施形態を示す概略斜視図である。
【図２０】上記実施形態を示す要部拡大図である。
【図２１】第１０の実施形態を示す概略斜視図である。
【発明を実施するための形態】
【００３０】
以下、本発明を図面に示す具体例に基づいて詳細に説明する。図１ないし図３は本発明に係る矯正靴下の好ましい実施形態を示し、これはクルー丈の靴下に適用した例である。靴下は靴下本体１０と爪先部分２０とから構成され、靴下本体１０は履口部分１１、レッグ部分１２、足甲部分１３、足底部分１４及び踵部分１５から構成されている。
【００３１】
靴下本体１０は編み糸、例えば綿アクリル混紡糸と弾性糸、例えばポリウレタンを芯にしてポリエステルでカバーリングしたカバードヤーンとを用いて平編み組織にて履口部分１１から足甲部分１３及び足底部分１４の先端側に向けて筒状に編成され、又爪先部分２０には第１趾（親指）側から第１趾袋部２１、第１のパッド袋部２４、幅広趾袋部２２、第２のパッド袋部２５及び第５趾袋部２３が各々靴下本体１０内に開口するように編成されている。
【００３２】
第１趾袋部２１は第１趾（親指）を入れることのできる大きさに編成され、幅広趾袋部２２には第２、第３、第４趾を一緒に入れることのできる大きさに編成され、第５趾袋部２３は第５趾（小指）を入れることのできる大きさに編成され、第１、第２のパッド袋部２４、２５は弾性パッド３０を入れることのできる大きさに編成され、第１、第２のパッド袋部２４、２５は両側の趾袋部２１、２２、２２、２３に縫合され、又第１、第２のパッド袋部２４、２５は弾性パッド３０が挿入された後、その入口が縫合されている。
【００３３】
弾性パッド部３０は例えばスポンジゴムを用いて平板状に製作され、第１趾と第２趾との間の弾性パッド３０は縦Ｌが１７ｍｍ、横Ｈが２７ｍｍ、幅上Ｗ１が１２ｍｍ、幅下Ｗ２が７ｍｍの寸法に形成されているが、縦Ｌが１７ｍｍ、横Ｈが２７ｍｍ、幅上Ｗ１が９ｍｍ、幅下Ｗ２が４ｍｍの小さい寸法に形成することもできる。
【００３４】
第４趾と第５趾との間の弾性パッド３０は縦Ｌが１１ｍｍ、横Ｈが２２ｍｍ、幅上Ｗ１が３ｍｍ、幅下Ｗ２が２ｍｍの寸法に形成されているが、縦Ｌが１１ｍｍ、横Ｈが２２ｍｍ、幅上Ｗ１が２ｍｍ、幅下Ｗ２が１ｍｍの小さい寸法に形成することもできる。
【００３５】
また、靴下本体１０の土踏まず（中足部）に対応する部位１６は例えばゴム糸を用いることにより締付け力が増大されている。なお、編み方を変更することによって締付け力を大きくするようにしてもよい。
【００３６】
本例の矯正靴下を製造する場合、例えば靴下横編み機と、５本指の靴下を製造するプログラムを修正したプログラムを用い、５本指の靴下と同様に編成するが、爪先部分２０を編成する際に、第１趾袋部２１、第１のパッド袋部２４、幅広趾袋部２２、第２のパッド袋部２５及び第５趾袋部２３が所定の大きさになるように編成する。
【００３７】
また、靴下本体１０の土踏まずに対応する部位１６は例えば編み糸及び弾性糸にゴム糸を添えて編成することにより締付け力を増大させるが、平編みに比して締付け力の大きい編み方にて編成することもできる。
【００３８】
靴下が編成し終わると、第１趾袋部２１、第１のパッド袋部２４及び幅広趾袋部２２の間、幅広趾袋部２２、第２のパッド袋部２５及び第５趾袋部２３の間を縫合するとともに、靴下の内側から第１、第２のパッド袋部２４、２５に弾性パッド３０を差込み、その入口を縫合すると、本例の矯正靴下が得られる。
【００３９】
以上のように、本例の矯正靴下では弾性バッド３０によって第２趾に対して第１趾を、第４趾に対して第５趾を各々外側に開かせることができるので、外反母趾や内反小趾を矯正することができ、又弾性パッド３０によって第１趾及び第５趾を外側に開かせるようにしているので、靴下を履いた人に違和感や苦痛を与えることが少ない。
【００４０】
さらに、土踏まずの締付け力を大きくしているので、土踏まずを理想的なアーチ形状にすることができ、これによっても外反母趾や内反小趾の矯正に役立つ。
【００４１】
図４及び図５は第２の実施形態を示し、図において図１ないし図３と同一符号は同一又は相当部分を示す。本例では第１趾袋部２１と幅広趾袋部２２との間に第１のパッド袋部２４を形成しているが、幅広趾袋部２２と第５趾袋部２３との間には第２のパッド袋部を形成しておらず、このように第１のパッド袋部２４のみを形成し、外反母趾専用の矯正靴下とすることができる。
【００４２】
図６及び図７は第３の実施形態を示し、図において図１ないし図３と同一符号は同一又は相当部分を示す。本例では幅広趾袋部２２と第５趾袋部２３との間に第２のパッド袋部２５を形成しているが、第１趾袋部２１と幅広趾袋部２２との間には第１のパッド袋部を形成しておらず、このように第２のパッド袋部２５のみを形成し、内反小趾専用の矯正靴下とすることができる。
【００４３】
図８及び図９は第４の実施形態を示し、図において図１ないし図３と同一符号は同一又は相当部分を示す。本例では第２趾、第３趾及び第４趾を一緒に入れる幅広趾袋部２２に代え、第２趾、第３趾及び第４趾を個別に入れる第２趾袋部２２Ａ、第３趾袋部２２Ｂ及び第４趾袋部２２Ｃを爪先部分２０に形成する一方、第１趾袋部２１と第２趾袋部２２Ａの間及び第４趾袋部２２Ｃと第５趾袋部２３の間に第１、第２のパッド袋部２４、２５を設け、両側の趾袋部２１、２２Ａ、２２Ｃ、２３に縫合するようにしており、このように本発明は５本指靴下にも同様に適用できる。
【００４４】
図１０ないし図１２は第５の実施形態を示し、図において図８及び図９と同一符号は同一又は相当部分を示す。本例では第１趾袋部２１、第２趾、第３趾及び第４趾を個別に入れる第２趾袋部２２Ａ、第３趾袋部２２Ｂ、第４趾袋部２２Ｃ及び第５趾袋部２３を爪先部分２０に編成する一方、第１趾袋部２１と第２趾袋部２２Ａとの間、及び第４趾袋部２２Ｃと第５趾袋部２３との間には第１、第２のパッド袋部２４’２５’を差し込んで第１、第２趾袋部２１、２２Ａ及び第４、第５趾袋部２２Ｃ、２３に縫合し、第１、第２のパッド袋部２４’２５’内には後端の開口から弾性パッド３０を挿入して開口を縫合するようにしている。
【００４５】
靴下編み機で靴下を編成する場合、現在の靴下編み機では５本指の編成が限度であり、６本指や７本指を編成するのは技術的に難しく、丸編み機を用いるとコスト高を招来する。本例では第１、第２のパッド袋部２４’２５’を靴下とは別体に編成し、その後端の開口から弾性パッド３０を差し込み、開口を縫合し、これらを第１、第２趾袋部２１、２２Ａの間及び第４、第５趾袋部２２Ｃ、２３の間に差し込んで両側の趾袋部２１、２２Ａ、２２Ｃ、２３に縫合しており、このようにパッド袋部２４’２５’を別体に編成して縫合することにより、コスト高を招来することなく、外反母趾及び内反小趾を矯正する靴下を製造することができる。
【００４６】
図１３及び図１４は第６の実施形態を示し、図において図１０ないし図１２と同一符号は同一又は相当部分を示す。本例では第１趾袋部２１と第２趾袋部２２Ａとの間に第１のパッド袋部２４’を差し込んで縫合しているが、第４趾袋部２２Ｃと第５趾袋部２３との間には第２のパッド袋部を設けておらず、外反母趾専用の５本指矯正靴下としている。
【００４７】
図１５及び図１６は第７の実施形態を示し、図において図１０ないし図１２と同一符号は同一又は相当部分を示す。本例では第４趾袋部２２Ｃと第５趾袋部２３との間には第２のパッド袋部２５’を差し込んで縫合しているが、第１趾袋部２１と第２趾袋部２２Ａとの間に第１のパッド袋部を設けておらず、内反小趾専用の５本指矯正靴下としている。
【００４８】
図１７及び図１８は第８の実施形態を示し、図において図１０ないし図１２と同一符号は同一又は相当部分を示す。本例では爪先部分２０に第１趾袋部２１と第２趾ないし第５趾を入れる幅広趾袋部２６を編成し、第１趾袋部２１と幅広趾袋部２６との間に第１のパッド袋部２４’を差し込んで両側の趾袋部２１、２６に縫合するようにしており、このように本発明は足袋形状の靴下にも適用することができる。
【００４９】
図１９及び図２０は第９の実施形態を示し、図において図１７及び図１８と同一符号は同一又は相当部分を示す。本例では第１趾ないし第４趾を入れる幅広趾袋部２７と第５趾袋部２３を編成し、幅広趾袋部２７と第５趾袋部２３との間に第２のパッド袋部２５’を差し込んで両側の趾袋部２７、２３に縫合するようにしており、このような形状の靴下にも本発明を適用することができる。
【００５０】
なお、上記の例ではクルー丈の靴下を例に説明したが、ショート丈やハーフ丈の靴下にも同様に適用できる。また、靴下横編み機に代えて丸編み機を用いて本例の矯正靴下を編成することができる。但し、靴下横編み機では爪先側から編成を行うが、丸編み機では履き口側から編成を行う点で異なっている。
【００５１】
図２１は第１０の実施形態を示し、これは爪先靴下に適用した例である。本例の矯正靴下１０’は爪先部分２０と、爪先部分２０に連続して編成され、足の土踏まず部分の手前までの長さを有するサポート部分４０とから構成されている。爪先部分２０には第１の実施形態と同様に、第１趾袋部２１、第１のパッド袋部２４、幅広趾袋部２２、第２のパッド袋部２５、第５趾袋部２３が編成され、第１、第２のパッド袋部２４、２５には弾性パッド３０が入れられた後、その入口が縫合されている。
【００５２】
本例の矯正靴下は爪先靴下の形態をなしているので、これを履いた後、その上から通常の５本指でない靴下を履くことができ、嗜好に応じた靴下を履くことができるとともに、外反母趾や内反小趾を矯正することができる。
【符号の説明】
【００５３】
１０      靴下本体
２０      爪先部分
２１      第１趾袋部
２２      幅広趾袋部
２２Ａ    第２趾袋部
２２Ｂ    第３趾袋部
２２Ｃ    第４趾袋部
２３      第５趾袋部
２４、２５      第１、第２のパッド袋部
２４’、２５’      第１、第２のパッド袋部
２６，２７  幅広趾袋部
３０      弾性パッド
４０      サポート部分
【図１】
2010063874.tif 000003
【図２】
2010063874.tif 000004
【図３】
2010063874.tif 000005
【図４】
2010063874.tif 000006
【図５】
2010063874.tif 000007
【図６】
2010063874.tif 000008
【図７】
2010063874.tif 000009
【図８】
2010063874.tif 000010
【図９】
2010063874.tif 000011
【図１０】
2010063874.tif 000012
【図１１】
2010063874.tif 000013
【図１２】
2010063874.tif 000014
【図１３】
2010063874.tif 000015
【図１４】
2010063874.tif 000016
【図１５】
2010063874.tif 000017
【図１６】
2010063874.tif 000018
【図１７】
2010063874.tif 000019
【図１８】
2010063874.tif 000020
【図１９】
2010063874.tif 000021
【図２０】
2010063874.tif 000022
【図２１】
2010063874.tif 000023